(57)【要約】【課題】発声ユニットの電気的調整が可能な範囲を広げるマルチリング同軸同音源スピーカを提供する。【解決手段】マルチリング同軸同音源スピーカは、中高音発声ユニット２、第１の低音発声ユニット１５及び第２の低音発声ユニット１６を備える。中高音発声ユニット２は、中高音振動音源点及び配線基板２２を有する。第２の低音発声ユニット１６の位置決め空間中には、第１の低音発声ユニット１５が同軸嵌合され、第１の低音発声ユニット１５の位置決め空間中には、中高音発声ユニット２が同軸嵌合され、第１の低音発声ユニット１５、第２の低音発声ユニット１６及び中高音発声ユニット２が同軸に設けられる。第１の低音発声ユニット１５の低音振動音源点と、第２の低音発声ユニット１６の低音振動音源点と、中高音発声ユニット２の中高音振動音源点とが水平高さで揃う。【選択図】図１
0003193406.tif 000002
【実用新案登録請求の範囲】
【請求項１】
中高音発声ユニット、第１の低音発声ユニット及び第２の低音発声ユニットを備えるマルチリング同軸同音源スピーカであって、
前記中高音発声ユニットは、中高音振動音源点及び配線基板を有し、
前記第１の低音発声ユニットは、位置決め空間、振動発声板、配線基板及び低音振動音源点を有し、
前記第２の低音発声ユニットは、位置決め空間、振動発声板、配線基板及び低音振動音源点を有し、
前記第２の低音発声ユニットの前記位置決め空間中には、前記第１の低音発声ユニットが同軸嵌合され、前記第１の低音発声ユニットの前記位置決め空間中には、前記中高音発声ユニットが同軸嵌合され、前記第１の低音発声ユニット、前記第２の低音発声ユニット及び前記中高音発声ユニットが同軸に設けられ、
前記第１の低音発声ユニットの前記低音振動音源点と、前記第２の低音発声ユニットの前記低音振動音源点と、前記中高音発声ユニットの前記中高音振動音源点とが水平高さで揃うことを特徴とする、
マルチリング同軸同音源スピーカ。
【請求項２】
前記中高音発声ユニットは、円形電磁式鉄片発声ユニット、方形電磁式鉄片振動発声ユニット、可動線輪型発声ユニット、リボン式発声ユニット、圧電磁器発声片部材、圧電磁器発声片接合発声振動膜又は半導体チップ発声ユニットであることを特徴とする請求項１に記載のマルチリング同軸同音源スピーカ。
【請求項３】
前記第１の低音発声ユニットと前記第２の低音発声ユニットとの接続箇所には、前記第１の低音発声ユニットの磁場と前記第２の低音発声ユニットの磁場とを分ける第１の防磁リングが配設され、
前記第１の低音発声ユニットと前記中高音発声ユニットとの接続箇所には、前記第１の低音発声ユニットの磁場と前記中高音発声ユニットの磁場とを分ける第２の防磁リングが配設されていることを特徴とする請求項１に記載のマルチリング同軸同音源スピーカ。
【請求項４】
前記第１の低音発声ユニット又は前記第２の低音発声ユニットは、環状磁性体ベースと、第１の環状磁石及び第２の環状磁石と、第１の環状磁性体リング及び第２の環状磁性体リングと、前記振動発声板と、前記配線基板とを含み、
前記環状磁性体ベースは、中心部に中空状の位置決め空間を有し、本体部分に頂面開口を有する収容空間が形成されているとともに前記頂面開口を形成する外周壁及び内周壁を含み、
前記第１の環状磁石は、前記環状収容空間の内周壁に配設されて前記内周壁に貼着され、前記第２の環状磁石は、前記環状収容空間の外周壁に配設されて前記外周壁に貼着され、前記第１の環状磁石と前記第２の環状磁石との間には、磁気ギャップが形成され、
前記第１の環状磁性体リングは、前記第１の環状磁石の上表面に固定され、前記第２の環状磁性体リングは、前記第２の環状磁石の上表面に固定され、
前記振動発声板は、環状振動板、外圧縁及び内圧縁を含み、前記外圧縁は、前記振動板の外周縁に固定され、前記内圧縁は、前記振動板の内周縁に固定され、前記外圧縁は、前記環状磁性体ベースの外周壁の端部に接続され、前記内圧縁は、前記環状磁性体ベースの内周壁の端部に接続され、前記開口部において前記環状磁性体ベースを密封し、前記環状振動板下には、前記ボイスコイルが接続され、該接続箇所には低音振動音源点が形成され、前記第１の環状磁石と前記第２の環状磁石との間に形成された前記磁気ギャップ中には、前記ボイスコイルが挿入され、
前記配線基板は、前記磁性体ベースの外底面に結合され、前記ボイスコイルの引出線が固定されていることを特徴とする請求項１に記載のマルチリング同軸同音源スピーカ。
【請求項５】
前記第１の低音発声ユニット又は前記第２の低音発声ユニットは、環状磁性体ベースと、環状磁石と、環状磁性体リングと、前記振動発声板と、前記配線基板とを含み、
前記環状磁性体ベースは、中心部に中空状の位置決め空間を有し、本体部分に頂面開口を有する収容空間が形成されるとともに前記頂面開口を形成する外周壁及び内周壁を含み、
前記環状磁石は、前記収容空間の内周壁と外周壁との間に配設され、前記収容空間を第１の磁気ギャップと第２の磁気ギャップとに分け、
前記環状磁性体リングは、前記環状磁石の上表面に固定され、
前記振動発声板は、環状振動板、外圧縁及び内圧縁を含み、前記外圧縁は、前記振動板の外周縁に固定され、前記内圧縁は、前記振動板の内周縁に固定され、前記振動板の内周縁に隣接した箇所には第１のボイスコイルが接続され、該接続箇所には、前記第１の低音振動音源点が形成され、外周縁に隣接した箇所には、第２のボイスコイルが接続され、該接続箇所には、第２の低音振動音源点が形成され、
前記振動発声板は、前記磁性体ベースの開口部に連結固定され、前記外圧縁が前記磁性体ベースの外周壁に結合され、前記内圧縁が内周壁に結合され、前記振動板が前記収容空間の開口部に位置決めされ、前記開口部が封止され、前記磁性体ベースの前記第１の磁気ギャップに前記第１のボイスコイルが挿入され、前記磁性体ベースの前記第２の磁気ギャップに前記第２のボイスコイルが挿入されて前記第１のボイスコイルと前記第２のボイスコイルとの間に前記環状磁石が位置決めされ、
前記配線基板は、前記磁性体ベースの外底面に結合され、前記第１のボイスコイル及び前記第２のボイスコイルの引出線が固定されることを特徴とする請求項１に記載のマルチリング同軸同音源スピーカ。
【請求項６】
前記第１の低音発声ユニット又は前記第２の低音発声ユニットは、磁性体ベースと、環状磁石と、環状磁性体リングと、振動発声板と、配線基板とを含み、
前記磁性体ベースは、中心部に中空状の位置決め空間を有し、本体部分に互いに隣接した補助磁性体結合空間及びボイスコイル作動空間が形成され、前記補助磁性体結合空間と前記ボイスコイル作動空間との間には、隔壁が設けられ、
前記環状磁石は、互いに表裏の関係にある表面を有し、一表面は、前記磁性体ベースの前記ボイスコイル作動空間中に固定されるとともに、前記ボイスコイル作動空間に貼着されて前記隔壁から離れ、前記環状磁石と前記隔壁との間には、磁気ギャップが形成され、
前記環状磁性体リングは、前記環状磁石の他表面に固定され、前記環状磁性体リングと前記磁性体ベースとには、開口部が形成され、
前記振動発声板は、環状振動板を含み、前記環状振動板上には前記ボイスコイルが接続され、前記ボイスコイルと前記環状振動板との接続箇所には、低音振動音源点が形成され、前記振動発声板が前記磁性体ベースと前記環状磁性体リングとにより形成された開口部に連結固定されて前記開口部が封止され、前記ボイスコイルが前記磁性体ベースの前記ボイスコイル作動空間中に挿入され、前記ボイスコイル作動空間の前記磁気ギャップ中に位置決めされ、
前記配線基板は、前記磁性体ベースの前記ボイスコイル作動空間の底面外壁面に結合され、前記ボイスコイルの引出線が固定されていることを特徴とする請求項１に記載のマルチリング同軸同音源スピーカ。
【請求項７】
前記磁性体ベースの前記補助磁性体結合空間は、前記位置決め空間に隣接した箇所に形成され、
前記ボイスコイル作動空間は、前記位置決め空間から離れた箇所に形成されることを特徴とする請求項６に記載のマルチリング同軸同音源スピーカ。
【請求項８】
前記磁性体ベースの前記補助磁性体結合空間は、前記位置決め空間に隣接した箇所に形成され、
前記ボイスコイル作動空間は、前記位置決め空間から離れた箇所に形成されることを特徴とする請求項６に記載のマルチリング同軸同音源スピーカ。
【請求項９】
前記磁性体ベースの前記補助磁性体結合空間には、補助磁性体が接続されていることを特徴とする請求項７又は８に記載のマルチリング同軸同音源スピーカ。
【請求項１０】
前記磁性体ベースの底面の外壁表面に接着されるとともに、通気孔を遮ってチャンバの空気流量を調整する風量ダンパ網と、
前記第１の低音発声ユニット及び前記中高音発声ユニット上に接続され、前記第１の低音発声ユニットの音声を出力する第１の低音出音孔を有する第１の防塵保護カバーと、
前記第２の低音発声ユニット上に接続され、前記第２の低音発声ユニットの音声を出力する第２の低音出音孔を有する第２の防塵保護カバーとをさらに備え、
前記中高音発声ユニットは、前記中高音発声ユニットの音声を出力する中高音出音孔を有することを特徴とする請求項４乃至６のいずれか一項に記載のマルチリング同軸同音源スピーカ。
【考案の詳細な説明】
【技術分野】
【０００１】
本考案は、スピーカ発声ユニットの技術分野に関し、特に、複数の低音発声ユニットが中高音発声ユニットの外側に同軸嵌合され、複数の低音発声ユニットの低音振動音源点と中高音発声ユニットの中高音振動音源点とが水平高さで揃い、複数組の低音発声ユニットと１組の中高音発声ユニットとが同時に音声を出力するマルチリング同軸同音源スピーカに関する。
【背景技術】
【０００２】
従来のイヤホン又はスピーカボックスは、１つのスピーカ音声ユニットから音声が出力されるため、周波数帯域が広い音声を出力することは困難であり、低音の音量を大きくすると中高音の一部が失われることがあった。
また、周波数帯域が広い音声を出力するためには、イヤホン本体又はスピーカボックス内に発声ユニットを多数取り付ける必要があったが、イヤホン本体又はスピーカボックス内に、独立した低音発声ユニット及び中高音発声ユニットを取り付けた場合、占有体積が大きくなりイヤホン又はスピーカボックスの体積が大きくなってしまう虞があった。
【考案の概要】
【考案が解決しようとする課題】
【０００３】
本考案の目的は、複数の低音発声ユニットを中高音発声ユニットの外側に同軸嵌合させてスピーカ全体の体積を小さくし、複数の低音発声ユニットと中高音発声ユニットとの発声振動音源点を水平高さで揃え、発声ユニットの電気的調整が可能な範囲を広げるマルチリング同軸同音源スピーカを提供することにある。
【課題を解決するための手段】
【０００４】
上記の課題を解決するために、本考案の第１の形態によれば、中高音発声ユニット、第１の低音発声ユニット及び第２の低音発声ユニットを備えるマルチリング同軸同音源スピーカであって、前記中高音発声ユニットは、中高音振動音源点及び配線基板を有し、前記第１の低音発声ユニットは、位置決め空間、振動発声板、配線基板及び低音振動音源点を有し、前記第２の低音発声ユニットは、位置決め空間、振動発声板、配線基板及び低音振動音源点を有し、前記第２の低音発声ユニットの前記位置決め空間中には、前記第１の低音発声ユニットが同軸嵌合され、前記第１の低音発声ユニットの前記位置決め空間中には、前記中高音発声ユニットが同軸嵌合され、前記第１の低音発声ユニット、前記第２の低音発声ユニット及び前記中高音発声ユニットが同軸に設けられ、前記第１の低音発声ユニットの前記低音振動音源点と、前記第２の低音発声ユニットの前記低音振動音源点と、前記中高音発声ユニットの前記中高音振動音源点とが水平高さで揃うことを特徴とするマルチリング同軸同音源スピーカが提供される。
【０００５】
前記中高音発声ユニットは、円形電磁式鉄片発声ユニット、方形電磁式鉄片振動発声ユニット、可動線輪型発声ユニット、リボン式発声ユニット、圧電磁器発声片部材、圧電磁器発声片接合発声振動膜又は半導体チップ発声ユニットであることが好ましい。
【０００６】
前記第１の低音発声ユニットと前記第２の低音発声ユニットとの接続箇所には、前記第１の低音発声ユニットの磁場と前記第２の低音発声ユニットの磁場とを分ける第１の防磁リングが配設され、前記第１の低音発声ユニットと前記中高音発声ユニットとの接続箇所には、前記第１の低音発声ユニットの磁場と前記中高音発声ユニットの磁場とを分ける第２の防磁リングが配設されていることが好ましい。
【０００７】
前記第１の低音発声ユニット又は前記第２の低音発声ユニットは、環状磁性体ベースと、第１の環状磁石及び第２の環状磁石と、第１の環状磁性体リング及び第２の環状磁性体リングと、前記振動発声板と、前記配線基板とを含み、前記環状磁性体ベースは、中心部に中空状の位置決め空間を有し、本体部分に頂面開口を有する収容空間が形成されているとともに前記頂面開口を形成する外周壁及び内周壁を含み、前記第１の環状磁石は、前記環状収容空間の内周壁に配設されて前記内周壁に貼着され、前記第２の環状磁石は、前記環状収容空間の外周壁に配設されて前記外周壁に貼着され、前記第１の環状磁石と前記第２の環状磁石との間には、磁気ギャップが形成され、前記第１の環状磁性体リングは、前記第１の環状磁石の上表面に固定され、前記第２の環状磁性体リングは、前記第２の環状磁石の上表面に固定され、前記振動発声板は、環状振動板、外圧縁及び内圧縁を含み、前記外圧縁は、前記振動板の外周縁に固定され、前記内圧縁は、前記振動板の内周縁に固定され、前記外圧縁は、前記環状磁性体ベースの外周壁の端部に接続され、前記内圧縁は、前記環状磁性体ベースの内周壁の端部に接続され、前記開口部において前記環状磁性体ベースを密封し、前記環状振動板下には、前記ボイスコイルが接続され、該接続箇所には低音振動音源点が形成され、前記第１の環状磁石と前記第２の環状磁石との間に形成された前記磁気ギャップ中には、前記ボイスコイルが挿入され、前記配線基板は、前記磁性体ベースの外底面に結合され、前記ボイスコイルの引出線が固定されていることが好ましい。
【０００８】
前記第１の低音発声ユニット又は前記第２の低音発声ユニットは、環状磁性体ベースと、環状磁石と、環状磁性体リングと、前記振動発声板と、前記配線基板とを含み、前記環状磁性体ベースは、中心部に中空状の位置決め空間を有し、本体部分に頂面開口を有する収容空間が形成されるとともに前記頂面開口を形成する外周壁及び内周壁を含み、前記環状磁石は、前記収容空間の内周壁と外周壁との間に配設され、前記収容空間を第１の磁気ギャップと第２の磁気ギャップとに分け、前記環状磁性体リングは、前記環状磁石の上表面に固定され、前記振動発声板は、環状振動板、外圧縁及び内圧縁を含み、前記外圧縁は、前記振動板の外周縁に固定され、前記内圧縁は、前記振動板の内周縁に固定され、前記振動板の内周縁に隣接した箇所には第１のボイスコイルが接続され、該接続箇所には、前記第１の低音振動音源点が形成され、外周縁に隣接した箇所には、第２のボイスコイルが接続され、該接続箇所には、第２の低音振動音源点が形成され、前記振動発声板は、前記磁性体ベースの開口部に連結固定され、前記外圧縁が前記磁性体ベースの外周壁に結合され、前記内圧縁が内周壁に結合され、前記振動板が前記収容空間の開口部に位置決めされ、前記開口部が封止され、前記磁性体ベースの前記第１の磁気ギャップに前記第１のボイスコイルが挿入され、前記磁性体ベースの前記第２の磁気ギャップに前記第２のボイスコイルが挿入されて前記第１のボイスコイルと前記第２のボイスコイルとの間に前記環状磁石が位置決めされ、前記配線基板は、前記磁性体ベースの外底面に結合され、前記第１のボイスコイル及び前記第２のボイスコイルの引出線が固定されることが好ましい。
【０００９】
前記第１の低音発声ユニット又は前記第２の低音発声ユニットは、磁性体ベースと、環状磁石と、環状磁性体リングと、振動発声板と、配線基板とを含み、前記磁性体ベースは、中心部に中空状の位置決め空間を有し、本体部分に互いに隣接した補助磁性体結合空間及びボイスコイル作動空間が形成され、前記補助磁性体結合空間と前記ボイスコイル作動空間との間には、隔壁が設けられ、前記環状磁石は、互いに表裏の関係にある表面を有し、一表面は、前記磁性体ベースの前記ボイスコイル作動空間中に固定されるとともに、前記ボイスコイル作動空間に貼着されて前記隔壁から離れ、前記環状磁石と前記隔壁との間には、磁気ギャップが形成され、前記環状磁性体リングは、前記環状磁石の他表面に固定され、前記環状磁性体リングと前記磁性体ベースとには、開口部が形成され、前記振動発声板は、環状振動板を含み、前記環状振動板上には前記ボイスコイルが接続され、前記ボイスコイルと前記環状振動板との接続箇所には、低音振動音源点が形成され、前記振動発声板が前記磁性体ベースと前記環状磁性体リングとにより形成された開口部に連結固定されて前記開口部が封止され、前記ボイスコイルが前記磁性体ベースの前記ボイスコイル作動空間中に挿入され、前記ボイスコイル作動空間の前記磁気ギャップ中に位置決めされ、前記配線基板は、前記磁性体ベースの前記ボイスコイル作動空間の底面外壁面に結合され、前記ボイスコイルの引出線が固定されていることが好ましい。
【００１０】
前記磁性体ベースの前記補助磁性体結合空間は、前記位置決め空間に隣接した箇所に形成され、前記ボイスコイル作動空間は、前記位置決め空間から離れた箇所に形成されることが好ましい。
【００１１】
前記磁性体ベースの前記補助磁性体結合空間は、前記位置決め空間に隣接した箇所に形成され、前記ボイスコイル作動空間は、前記位置決め空間から離れた箇所に形成されることが好ましい。
【００１２】
前記磁性体ベースの前記補助磁性体結合空間には、補助磁性体が接続されていることが好ましい。
【００１３】
前記磁性体ベースの底面の外壁表面に接着されるとともに、通気孔を遮ってチャンバの空気流量を調整する風量ダンパ網と、前記第１の低音発声ユニット及び前記中高音発声ユニット上に接続され、前記第１の低音発声ユニットの音声を出力する第１の低音出音孔を有する第１の防塵保護カバーと、前記第２の低音発声ユニット上に接続され、前記第２の低音発声ユニットの音声を出力する第２の低音出音孔を有する第２の防塵保護カバーとをさらに備え、前記中高音発声ユニットは、前記中高音発声ユニットの音声を出力する中高音出音孔を有することが好ましい。
【考案の効果】
【００１４】
本考案のマルチリング同軸同音源スピーカは、複数の低音発声ユニットを中高音発声ユニットの外側に同軸嵌合させてスピーカ全体の体積を小さくし、複数の低音発声ユニットと中高音発声ユニットとの発声振動音源点を水平高さで揃え、発声ユニットの電気的調整が可能な範囲を広げることができる。
【図面の簡単な説明】
【００１５】
【図１】本考案の一実施形態に係るマルチリング同軸同音源スピーカを示す分解斜視図である。
【図２】本考案の一実施形態に係るマルチリング同軸同音源スピーカを示す正面斜視図である。
【図３】本考案の一実施形態に係るマルチリング同軸同音源スピーカを示す背面斜視図である。
【図４Ａ】本考案の一実施形態に係るマルチリング同軸同音源スピーカの中高音発声ユニットを示す図である。
【図４Ｂ】本考案の一実施形態に係るマルチリング同軸同音源スピーカの中高音発声ユニットを示す図である。
【図４Ｃ】本考案の一実施形態に係るマルチリング同軸同音源スピーカの中高音発声ユニットを示す図である。
【図４Ｄ】本考案の一実施形態に係るマルチリング同軸同音源スピーカの中高音発声ユニットを示す図である。
【図４Ｅ】本考案の一実施形態に係るマルチリング同軸同音源スピーカの中高音発声ユニットを示す図である。
【図４Ｆ】本考案の一実施形態に係るマルチリング同軸同音源スピーカの中高音発声ユニットを示す図である。
【図４Ｇ】本考案の一実施形態に係るマルチリング同軸同音源スピーカの中高音発声ユニットを示す図である。
【図５】本考案の他の実施形態に係るマルチリング同軸同音源スピーカを示す分解斜視図である。
【図６】本考案の他の実施形態に係るマルチリング同軸同音源スピーカを示す正面斜視図である。
【図７】本考案の他の実施形態に係るマルチリング同軸同音源スピーカを示す背面斜視図である。
【図８】本考案の一実施形態に係るマルチリング同軸同音源スピーカのシングルボイスコイル低音発声ユニットを示す断面図である。
【図９】本考案の一実施形態に係るマルチリング同軸同音源スピーカのデュアルボイスコイル低音発声ユニットを示す断面図である。
【図１０】本考案の他の実施形態に係るマルチリング同軸同音源スピーカのシングルボイスコイル低音発声ユニットを示す断面斜視図である。
【図１１】本考案の他の実施形態に係るマルチリング同軸同音源スピーカのシングルボイスコイル低音発声ユニットを示す断面斜視図である。
【図１２】本考案の他の実施形態に係るマルチリング同軸同音源スピーカのシングルボイスコイル低音発声ユニットを示す断面斜視図である。
【図１３】本考案の他の実施形態に係るマルチリング同軸同音源スピーカのシングルボイスコイル低音発声ユニットを示す断面斜視図である。
【考案を実施するための形態】
【００１６】
以下、本考案の実施形態について図に基づいて説明する。なお、これによって本考案が限定されるものではない。
【００１７】
図１〜図３を参照する。図１〜図３に示すように、本考案の一実施形態に係るマルチリング同軸同音源スピーカは、複数の低音発声ユニット及び中高音発声ユニット２を含む。なお、本実施形態の２つの低音発声ユニットは、単なるベストモードであり、これに限定されるわけではなく、２つ以上の低音発声ユニットを利用する限り、本考案の実用新案登録請求の範囲に含まれる。
【００１８】
本考案の一実施形態に係るマルチリング同軸同音源スピーカは、第１の低音発声ユニット１５及び第２の低音発声ユニット１６を含む。第１の低音発声ユニット１５及び第２の低音発声ユニット１６の中心部には、中空状位置決め空間１５１，１６１が形成され、第１の低音発声ユニット１５が第２の低音発声ユニット１６の位置決め空間１６１中に同軸嵌合され、第１の低音発声ユニット１５の位置決め空間１５１中に中高音発声ユニット２が同軸嵌合され、中高音発声ユニット２、第１の低音発声ユニット１５及び第２の低音発声ユニット１６が同軸に設けられる。
【００１９】
図４Ａを参照する。図４Ａに示すように、中高音発声ユニット２は、円形電磁式鉄片発声ユニットであり、中高音振動音源点２１と、底部に設置された配線基板２２とを有するとともに、中高音出音孔１２が形成されている。中高音発声ユニット２の音声は、中高音出音孔１２から出力される。
図４Ｂ〜図４Ｇに示すように、中高音発声ユニット２には、方形電磁式鉄片振動発声ユニット（ｒｅｃｔａｎｇｕｌａｒ  ｅｌｅｃｔｒｏｍａｇｎｅｔｉｃ  ｍｏｖｉｎｇ  ｉｒｏｎ  ｓｏｕｎｄ  ｕｎｉｔ）２ａ（図４Ｂ参照）、可動線輪型発声ユニット（ｍｏｖｉｎｇ−ｖｏｃａｌ  ｃｏｉｌ  ｓｏｕｎｄ  ｕｎｉｔ）２ｂ（図４Ｃ参照）、リボン式発声ユニット（ｒｉｂｂｏｎ−ｔｙｐｅ  ｓｏｕｎｄ  ｕｎｉｔ）２ｃ（図４Ｄ参照）、圧電磁器発声片部材（ｐｉｅｚｏ−ｃｅｒａｍｉｃ  ｓｏｕｎｄ  ｐｉｅｃｅ  ｃｏｍｐｏｎｅｎｔ）２ｄ（図４Ｅ参照）、圧電磁器発声片接合発声振動膜（ｐｉｅｚｏ−ｃｅｒａｍｉｃ  ｓｏｕｎｄ  ｐｉｅｃｅ  ａｄｊｏｉｎｉｎｇ  ａｎｏｔｈｅｒ  ｖｉｂｒａｔｉｎｇ  ｖｏｃａｌ  ｔｏｎｅ  ｄｉａｐｈｒａｇｍ）２ｅ（図４Ｆ参照）、半導体チップ発声ユニット（ｓｅｍｉｃｏｎｄｕｃｔｏｒ  ｃｈｉｐ  ｓｏｕｎｄ  ｕｎｉｔ）２ｆ（図４Ｇ参照）を用いてもよい。
図４Ｂ〜４Ｇに示すように、中高音発声ユニット２ａ〜２ｆは、中高音配線基板２２及び中高音振動音源点２１を含む。図４Ｇの半導体チップ発声ユニット２ｆ上には、出音孔は形成されておらず、その他中高音発声ユニット２ａ〜２ｆ上には、中高音出音孔１２が形成されている。上述の中高音発声ユニット２は単なる好適な実施形態であり、勿論、本考案の実用新案登録請求の範囲を限定するわけではない。
【００２０】
図５〜図７を参照する。図５〜図７は、図１〜図３と異なり、第１の低音発声ユニット１５と第２の低音発声ユニット１６との接続箇所には、第１の防磁リング７１が設置されている。第１の低音発声ユニット１５と中高音発声ユニット２との接続箇所には、第２の防磁リング７２が設置されている。
第１の防磁リング７１及び第２の防磁リング７２は、スリーブに類似した構造を有する。第１の防磁リング７１は、内部に第１の低音発声ユニット１５が挿設され、外部に第２の低音発声ユニット１６の位置決め空間１６１が固着され、第１の防磁リング７１により、第１の低音発声ユニット１５の磁場と第２の低音発声ユニット１６の磁場とに分ける。第２の防磁リング７２は、内部に中高音発声ユニット２が挿設され、外部が第１の低音発声ユニット１５の中空状位置決め空間１５１と接続され、第２の防磁リング７２により第１の低音発声ユニット１５の磁場と中高音発声ユニット２の磁場とに分け、その他の構造は図１〜３と同じであるため、ここでは繰り返して述べない。
【００２１】
図１〜３及び図５〜８を参照する。本実施形態の第１の低音発声ユニット１５又は第２の低音発声ユニット１６は、シングルボイスコイル低音発声ユニットを示す図である。第１の低音発声ユニット１５又は第２の低音発声ユニット１６は、環状磁性体ベース３を含む。
環状磁性体ベース３の中心部は、中空状位置決め空間１５１又は中空状位置決め空間１６１に形成される。環状磁性体ベース３の本体部分には、頂面開口３２５を有する収容空間３２が形成されている。環状磁性体ベース３の本体部分には、頂面開口３２５が形成された外周壁３２２及び内周壁３２３が含まれ、頂面開口３２５から離れた他の表面には底面３２６が形成されている。底面３２６には、通気孔３２１が形成されている。
【００２２】
環状磁性体ベース３の収容空間３２中には、第１の環状磁石５０１及び第２の環状磁石５０２が位置決めされている。第１の環状磁石５０１の面積は第２の環状磁石５０２より小さい。第１の環状磁石５０１及び第２の環状磁石５０２の断面幅及び高さは、収容空間３２の断面幅及び高さより小さい。
第１の環状磁石５０１及び第２の環状磁石５０２の底面は、収容空間３２の底面３２６に固定されている。第１の環状磁石５０１は、収容空間３２の内周壁３２３に貼着されている。第２の環状磁石５０２は、収容空間３２の外周壁３２２に貼着され、第１の環状磁石５０１と第２の環状磁石５０２との間には収容空間３２において磁気ギャップ３２８が形成されている。
【００２３】
第１の環状磁性体リング６０１は、第１の環状磁石５０１の上表面に接着され、第２の環状磁性体リング６０２は、第２の環状磁石５０２の上表面に接着され、環状磁石５０１，５０２、第１の環状磁性体リング６０１及び第２の環状磁性体リング６０２が環状磁性体ベース３の収容空間３２中に収容されて位置決めされる。第１の環状磁性体リング６０１及び第２の環状磁性体リング６０２は、環状磁性体ベース３の頂面開口３２５から突出されていない。
【００２４】
環状磁性体ベース３の頂面開口３２５上には振動発声板９が結合される。振動発声板９は、環状外圧縁９０１、環状振動板９０２及び環状内圧縁９０３を含む。環状振動板９０２は、外周縁及び内周縁を有する。外周縁上には環状外圧縁９０１が固定され、内周縁上には環状内圧縁９０３が固定され、環状振動板９０２下にはボイスコイル８が接続されている。
ボイスコイル８は、環状外圧縁９０１と環状内圧縁９０３との間に位置し、ボイスコイル８と環状振動板９０２との接続箇所には、低音振動音源点１３０１が形成され、振動発声板９の環状外圧縁９０１が環状磁性体ベース３の頂面開口３２５の外周壁３２２に固定され、環状内圧縁９０３は、環状磁性体ベース３の内周壁３２３に固着され、ボイスコイル８が環状磁性体ベース３の収容空間３２中に位置決めされ、第１の環状磁石５０１及び第２の環状磁石５０２に形成された磁気ギャップ３２８中に位置し、振動発声板９により環状磁性体ベース３の収容空間３２の頂面開口３２５が密閉される。
【００２５】
図１〜３、図５〜７及び図９を参照する。図１〜３、図５〜７及び図９に示すように、第１の低音発声ユニット１５又は第２の低音発声ユニット１６は、デュアルボイスコイル低音発声ユニットであり、図１〜３、図５〜７及び図９に示すように、第１の低音発声ユニット１５又は第２の低音発声ユニット１６は、デュアル磁気ギャップ機構（ｄｕａｌ  ｍａｇｎｅｔｉｃ  ｇａｐ  ｍｅｃｈａｎｉｓｍ）を有し、環状磁性体ベース３を含む。
環状磁性体ベース３の中心部は中空状位置決め空間１５１又は中空状位置決め空間１６１である。環状磁性体ベース３の本体部分には、頂面開口３２５を有する収容空間３２が形成されている。環状磁性体ベース３の本体部分は、上述の頂面開口３２５が形成された外周壁３２２及び内周壁３２３を含み、頂面開口３２５から離れた他方の表面は底面３２６に形成され、底面３２６上には、通気孔３２１が形成されている。
【００２６】
環状磁性体ベース３の収容空間３２中には環状磁石５０３が位置決めされている。環状磁石５０３は、一表面が収容空間３２の底面３２６上に固定され、他端に環状磁性体リング６０３が接着されている。環状磁石５０３及び環状磁性体リング６０３は、環状磁性体ベース３の収容空間３２内に収容され、環状磁性体リング６０３が環状磁性体ベース３の頂面開口３２５から露出されておらず、環状磁石５０３の断面幅及び高さが収容空間３２より小さく、環状磁石５０３は、収容空間３２を第１の磁気ギャップ３２４と第２の磁気ギャップ３２７とに分離し、環状磁性体ベース３の頂面開口３２５上には、振動発声板９が結合されている。
振動発声板９は、環状外圧縁９０１、環状振動板９０２及び環状内圧縁９０３を含む。環状振動板９０２は、外周縁及び内周縁を有する。外周縁上には、環状外圧縁９０１が固定される。内周縁上には、環状内圧縁９０３が固定され、環状振動板９０２の内周縁に近い箇所には、第１のボイスコイル８０１が接続され、外周縁に近い箇所には第２のボイスコイル８０２が接続され、環状振動板９０２上には、２つの内・外周ボイスコイルが形成されている。
第１のボイスコイル８０１は内リングであり、第２のボイスコイル８０２は外リングである。第１のボイスコイル８０１と環状振動板９０２との接続箇所には、第１の低音振動音源点１３０２が形成され、第２のボイスコイル８０２と環状振動板９０２との接続箇所には、第２の低音振動音源点１３０３が形成されている。振動発声板９の環状外圧縁９０１は、環状磁性体ベース３の頂面開口３２５の外周壁３２２に固着され、環状内圧縁９０３が環状磁性体ベース３の内周壁３２３に固着され、第１のボイスコイル８０１が環状磁性体ベース３の第１の磁気ギャップ３２４に位置決めされ、第２のボイスコイル８０２が環状磁性体ベース３の第２の磁気ギャップ３２７に位置決めされ、環状磁石５０３が第１のボイスコイル８０１と第２のボイスコイル８０２との間に位置決めされ、振動発声板９により環状磁性体ベース３の収容空間３２の頂面開口３２５が密閉される。
【００２７】
図１０を参照する。図１０に示すように、本考案の一実施形態に係るマルチリング同軸同音源スピーカは、第１の低音発声ユニット１５又は第２の低音発声ユニット１６の磁性体ベース３ａの断面がＺ字状を呈する。第１の低音発声ユニット１５又は第２の低音発声ユニット１６はシングル磁気ギャップ機構（ｓｉｎｇｌｅ  ｍａｇｎｅｔｉｃ  ｇａｐ  ｍｅｃｈａｎｉｓｍ）である。
第１の低音発声ユニット１５と第２の低音発声ユニット１６との接続箇所には、第１の防磁リング７１が配設され、第１の防磁リング７１により第１の低音発声ユニット１５の磁場と第２の低音発声ユニット１６の磁場とを分離し、第１の低音発声ユニット１５と第２の低音発声ユニット１６とを同軸に設ける。第１の低音発声ユニット１５と中高音発声ユニット２との接続箇所には、第２の防磁リング７２が配設されている。第２の防磁リング７２により第１の低音発声ユニット１５と中高音発声ユニット２との磁場を分離し、第１の低音発声ユニット１５を中高音発声ユニット２の外側に同軸嵌合させる。
【００２８】
第１の低音発声ユニット１５又は第２の低音発声ユニット１６は、磁性体ベース３ａを含む。磁性体ベース３ａの中心部は中空状位置決め空間１５１，１６１である。磁性体ベース３ａの本体部分は、互いに隣接した補助磁性体結合空間３２６１及びボイスコイル作動空間３２６２である。補助磁性体結合空間３２６１とボイスコイル作動空間３２６２との間には隔壁３２６４が設けられ、磁性体ベース３ａの断面は略Ｚ字状であり、ボイスコイル作動空間３２６２の結合面３２６３上には、通気孔３２１ａが形成されている。
図１０の磁性体ベース３ａの補助磁性体結合空間３２６１は、中空状位置決め空間１５１，１６１に近く、ボイスコイル作動空間３２６２は、中空状位置決め空間１５１，１６１から離れている。
【００２９】
磁性体ベース３ａのボイスコイル作動空間３２６２の結合面３２６３上には、環状磁石５０４が固定的に結合されている。環状磁石５０４の断面幅及び高さは、ボイスコイル作動空間３２６２の断面幅及び高さより小さい。環状磁石５１は、ボイスコイル作動空間３２６２から離れた補助磁性体結合空間３２６１に貼着され、環状磁石５１の幅がボイスコイル作動空間３２６２より小さく、ボイスコイル作動空間３２６２は環状磁石５０４により充満されることはなく、補助磁性体結合空間３２６１に近い隔壁３２６４には磁気ギャップ３２８ａが保持される。
【００３０】
環状磁性体リング６０４は、環状磁石５０４の頂端表面に接着され、磁性体ベース３ａのボイスコイル作動空間３２６２中に環状磁石５０４及び環状磁性体リング６０４を収容して位置決めする。
【００３１】
磁性体ベース３ａと環状磁性体リング６０４との間には開口部３２５ａが形成されている。開口部３２５ａには振動発声板９が結合されている。振動発声板９は、環状外圧縁９０１、環状振動板９０２及び環状内圧縁９０３を含む。環状振動板９０２は、外周縁及び内周縁を有する。外周縁上には、環状外圧縁９０１が固定され、内周縁上には、環状内圧縁９０３が固定され、環状振動板９０２上には、ボイスコイル８が接続されている。ボイスコイル８は、環状外圧縁９０１と環状内圧縁９０３との間に位置する。ボイスコイル８と環状振動板９０２との接続箇所には、低音振動音源点１３０１が設けられている。
振動発声板９の環状外圧縁９０１及び環状内圧縁９０３は、磁性体ベース３ａの開口部３２５ａの内縁部及び外縁部にそれぞれ貼着され、ボイスコイル８は、磁性体ベース３ａのボイスコイル作動空間３２６２中、かつ、環状磁石５０４と隔壁３２６４との間の磁気ギャップ３２８ａに位置決めされ、振動発声板９は、磁性体ベース３ａの開口部３２５ａを密閉する。
【００３２】
環状磁石５０４は、磁場を形成し、環状磁性体リング６０４により導磁作用を発生させる。ボイスコイル８は、磁気ギャップ回路を形成し、磁性体ベース３ａにより導磁作用を得て、通気孔３２１ａを介して通気作用を得て、振動発声板９の振動により発生する空気流を通気孔３２１ａから排出する。環状磁石５１の一側からは、ボイスコイル作動空間３２６２が露出され、強めの磁気ギャップ磁力を得ることができる。
【００３３】
図１１を参照する。図１１は、本考案の一実施形態に係るマルチリング同軸同音源スピーカを示す部分断面図である。図５に示すように、補助磁性体結合空間３２６１上には、補助磁性体５０５が固定的に結合される。
補助磁性体５０５の面積は環状磁石５０４より小さい。補助磁性体５０５の断面幅及び高さは、ボイスコイル作動空間３２６２の断面幅及び高さより小さく、補助磁性体５０５を介して結合され、磁性体ベース３ａが導磁効果を有するため、全体の磁性を高めることができる。その他の構造については図１０と同じであるため、ここでは繰り返して述べない。
【００３４】
図１２を参照する。図１２は、図１０と異なり、ボイスコイル作動空間３２６２が中空状位置決め空間１５１，１６１に隣接した箇所に位置し、補助磁性体結合空間３２６１が中空状位置決め空間１５１，１６１から離れた箇所に位置し、図１０の磁性体ベース３ａと反対方向を向いた断面形状を有する点が異なるが、その他の構造については図１０と同じであるため、ここでは繰り返して述べない。
【００３５】
図１３を参照する。図１３は、中空状位置決め空間１５１，１６１から離れた補助磁性体結合空間３２６１上には、補助磁性体５０５が固定的に結合され、図１１に示すような効果を同様に得ることができるが、その他の構造については図１１と同じであるため、ここでは繰り返して述べない。
【００３６】
また、上述した各実施形態の第１の低音発声ユニット１５及び第２の低音発声ユニット１６の環状振動板９０２は複合膜材料からなってもよい。環状振動板９０２は、高分子プラスチック、高分子プラスチック繊維、有機繊維、鉱物質（ｍｉｎｅｒａｌ  ｍａｔｔｅｒ）などの材料からなり、鉱物質には、金属（ｍｅｔａｌ）、岩石（ｒｏｃｋ）、鉱物（ｍｉｎｅｒａｌ）、ガラス（ｇｌａｓｓ）などが含まれ、薄膜成形及び編組プレス（ｂｒａｉｄｅｄ−ｔｙｐｅ  ｐｕｎｃｈｉｎｇ）成形のうちの少なくとも１つが採用されてもよい。
環状外圧縁９０１又は環状内圧縁９０３の形状は、本実施形態では円形がベストモードとして採用されているが、勿論、円形のみに限定されるわけではなく、楕円形、三角形、四角形、多角形又はその他幾何学的形状でもよい。
【００３７】
また、上述の各実施形態の環状磁性体ベース３，３ａの底面外壁面上には、配線基板４が接着されている。配線基板４には、ボイスコイル８，８０１，８０２の引出線が溶着されて電気的回路が形成されている。
【００３８】
上述した各実施形態の中高音発声ユニット２は、連結手段を介し、第１の低音発声ユニット１５の中空状位置決め空間１５１中に結合される。接続手段には、接着、嵌合などの方式を採用してもよく、中高音発声ユニット２の外側に第１の低音発声ユニット１５を嵌合させて第１の低音発声ユニット１５と中高音発声ユニット２とを同軸関係にし、第２の低音発声ユニット１６と、第１の低音発声ユニット１５との接続手段には、接着、嵌合などの方式を利用してもよく、第１の低音発声ユニット１５の外側に第２の低音発声ユニット１６を嵌合させ、第１の低音発声ユニット１５の低音振動音源点１３０１又は低音振動音源点１３０２，１３０３と、第２の低音発声ユニット１６の低音振動音源点１３０１又は低音振動音源点１３０２，１３０３と、中高音発声ユニット２の中高音振動音源点２１とが水平高さで揃うため、発声ユニットの電気的調整範囲が広がり、マルチリング同軸同音源スピーカが低音を出力したり中高音を出力したりすることができる。
【００３９】
磁化された中高音発声ユニット２の配線基板２２と、磁化された第１の低音発声ユニット１５及び第２の低音発声ユニット１６の配線基板４とは、信号ケーブル（ｓｉｇｎａｌ  ｃａｂｌｅ）を介して導通される。
【００４０】
また、上述の各実施形態の環状磁性体ベース３の底面外壁面上には、風量ダンパ網１が接着される。風量ダンパ網１は、通気孔３２１，３２１ａを覆い、環状磁性体ベース３の収容空間３２及び磁性体ベース３ａのボイスコイル作動空間３２６２内の空気流量を調整するために用いる。
【００４１】
また、上述した各実施形態の第１の低音発声ユニット１５上には、第１の防塵保護カバー１０が配設され、第２の低音発声ユニット１６の上方には、第２の防塵保護カバー２０が配設されている。第１の低音発声ユニット１５の音声は、第１の防塵保護カバー１０の第１の低音出音孔１１から出力され、第２の低音発声ユニット１６の音声は、第２の防塵保護カバー２０の第２の低音出音孔２０１から出力され、中高音発声ユニット２の音声は中高音出音孔１２から出力される。
【００４２】
また上述の実施形態は、各種スピーカ製品又はイヤホン製品に応用することができる。イヤホン製品には、インナーイヤー型、カナル型、ネックバンド型及びヘッドバンド型が含まれる。
【００４３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４４】
１        風量ダンパ網
２        中高音発声ユニット
２ａ      方形電磁式鉄片振動発声ユニット
２ｂ      可動線輪型発声ユニット
２ｃ      リボン式発声ユニット
２ｄ      圧電磁器発声片部材
２ｅ      圧電磁器発声片接合発声振動膜
２ｆ      半導体チップ発声ユニット
３        環状磁性体ベース
３ａ      磁性体ベース
４        配線基板
８        ボイスコイル
９        振動発声板
１０      第１の防塵保護カバー
１１      第１の低音出音孔
１２      中高音出音孔
１５      第１の低音発声ユニット
１６      第２の低音発声ユニット
２０      第２の防塵保護カバー
２１      中高音振動音源点
２２      配線基板
３２      収容空間
５１      環状磁石
７１      第１の防磁リング
７２      第２の防磁リング
１５１    中空状位置決め空間
１６１    中空状位置決め空間
２０１    第２の低音出音孔
３２１    通気孔
３２１ａ  通気孔
３２２    外周壁
３２３    内周壁
３２４    第１の磁気ギャップ
３２５    頂面開口
３２５ａ  開口部
３２６    底面
３２７    第２の磁気ギャップ
３２８    磁気ギャップ
３２８ａ  磁気ギャップ
５０１    第１の環状磁石
５０２    第２の環状磁石
５０３    環状磁石
５０４    環状磁石
５０５    補助磁性体
６０１    第１の環状磁性体リング
６０２    第２の環状磁性体リング
６０３    環状磁性体リング
６０４    環状磁性体リング
８０１    第１のボイスコイル
８０２    第２のボイスコイル
９０１    環状外圧縁
９０２    環状振動板
９０３    環状内圧縁
１３０１  低音振動音源点
１３０２  低音振動音源点
１３０３  第２の低音振動音源点
３２６１  補助磁性体結合空間
３２６２  ボイスコイル作動空間
３２６３  結合面
３２６４  隔壁
【図１】
0003193406.tif 000003
【図２】
0003193406.tif 000004
【図３】
0003193406.tif 000005
【図４Ａ】
0003193406.tif 000006
【図４Ｂ】
0003193406.tif 000007
【図４Ｃ】
0003193406.tif 000008
【図４Ｄ】
0003193406.tif 000009
【図４Ｅ】
0003193406.tif 000010
【図４Ｆ】
0003193406.tif 000011
【図４Ｇ】
0003193406.tif 000012
【図５】
0003193406.tif 000013
【図６】
0003193406.tif 000014
【図７】
0003193406.tif 000015
【図８】
0003193406.tif 000016
【図９】
0003193406.tif 000017
【図１０】
0003193406.tif 000018
【図１１】
0003193406.tif 000019
【図１２】
0003193406.tif 000020
【図１３】
0003193406.tif 000021